(57)【要約】【課題】台枠の一部に凹形状を設けた室内ユニットにおいて、壁面に設置後に自重で台枠の端が変形し、室内ユニットを壁に設置した時の見栄えが悪くなるという課題があった。【解決手段】熱交換器と、前記熱交換器を取り付ける台枠１と、エアフィルター取付枠４を設けた空気調和機の室内ユニットであって、空気調和機の室内ユニットの前記台枠１は、室内ユニットを壁に設置する際の爪部と、熱交換器の取付けを容易に行うための凹部１ａとを有し、前記エアフィルター取付枠４には、前記凹部１ａを有する台枠１を保持する支持リブ４ａを形成したことで、台枠１の端を保持することができ、台枠端部の強度を向上させて空気調和機を壁に設置後に起こる変形を防止することが可能となる。【選択図】図２
2010249348.tif 000002
【特許請求の範囲】
【請求項１】
熱交換器と、前記熱交換器を取り付ける台枠と、エアフィルター取付枠を設けた空気調和機の室内ユニットであって、前記台枠は、前記空気調和機の室内ユニットを壁に設置する際の爪部と、熱交換器の取付けを容易に行うための凹部とを有し、前記エアフィルター取付枠には、前記凹部を有する台枠を保持する支持リブを形成したことを特徴とする空気調和機の室内ユニット。
【請求項２】
台枠の凹部を塞ぐための特殊板をさらに備え、前記特殊板には、空気調和機の室内ユニットを設置するための据付板に固定する爪部を形成していることを特徴とする請求項１に記載の空気調和機の室内ユニット。
【請求項３】
台枠の両端に内側向きの爪構造を形成するとともに、据付板の左右上端に前記爪構造と嵌合する形状を形成し、空気調和機の室内ユニット本体の端を変形しない構成としたことを特徴とする請求項１または２に記載の空気調和機の室内ユニット。
【請求項４】
特殊板を金属製としたことを特徴とする請求項２または３に記載の空気調和機の室内ユニット。
【請求項５】
台枠の一部あるいは全部を、金属の鋳物製もしくはセラミックス製にしたことを特徴とする請求項１〜４のいずれか１項に記載の空気調和機の室内ユニット。
【発明の詳細な説明】
【技術分野】
【０００１】
本発明は、空気調和機と空気調和機から構成される室内ユニットに関し、特に室内ユニットの台枠の構造に関するものである。
【背景技術】
【０００２】
従来の空気調和機の室内ユニットについて図面を参照しながら、説明する。
【０００３】
従来の室内ユニットは、図５に示すように、熱交換器２と前記熱交換器２の取付けを容易に行う凹部１ａを設けた台枠１と前記凹部１ａを塞ぐための特殊板３を備えていた（例えば、特許文献１の図６参照）。
【先行技術文献】
【特許文献】
【０００４】
【特許文献１】特開２０００−１７９９３１号公報
【発明の概要】
【発明が解決しようとする課題】
【０００５】
しかしながら、上記従来例では、図５、図６及び図７に示すように、熱交換器と台枠を備えた空気調和機の室内ユニットにおいて、熱交換器２の取付けを容易にするために、台枠１の一部に凹形状１ａを設けたが、室内ユニットを壁面に設置するために台枠背面に設けた爪１ｂを予め壁に固定した据付板（図なし）に引っ掛けて固定するとした場合に、凹部１ａの外側に位置する台枠端部が室内ユニットの自重にて図中で示す矢印の向きに変形し、壁と台枠との間に隙間が発生し、室内ユニットを壁に設置した時の見栄えが悪くなるという課題を有していた。本発明は、上述のような課題を解決するためになされたものであり、室内ユニットを壁に設置後に生じる台枠の変形を防止することを目的とする。
【課題を解決するための手段】
【０００６】
前記従来の課題を解決するために本発明にかかる空気調和機の室内ユニットは、
空気調和機の台枠は、前記空気調和機の室内ユニットを壁に設置する際の爪部と、熱交換器の取付けを容易に行うための凹部とを有し、前記エアフィルター取付枠には、前記凹部を有する台枠を保持する支持リブを形成したことを特徴としたものである。
【０００７】
これによって、空気調和機の室内ユニットの凹部の外側に位置する台枠の端部の強度が向上し、空気調和機を壁に設置した後、台枠が変形するのを防止可能となる。
【発明の効果】
【０００８】
本発明によれば、空気調和機の室内ユニットの凹部１ａの外側に位置する台枠の端部の強度が向上し、空気調和機を壁に設置した後、台枠が変形するのを防止可能となる。
【図面の簡単な説明】
【０００９】
【図１】本発明の第１の実施の形態における空気調和機の室内ユニットの斜視図
【図２】同実施の形態１における空気調和機の室内ユニットの台枠端部の詳細図
【図３】同実施の形態１における空気調和機の室内ユニットの台枠背面図
【図４】本発明の第２の実施の形態における空気調和機の室内ユニットの台枠背面図
【図５】従来の空気調和機の室内ユニットの分解斜視図
【図６】従来の空気調和機の室内ユニットの台枠背面図
【図７】図６の台枠背面の詳細を示す図
【発明を実施するための形態】
【００１０】
第１の発明は、熱交換器と、前記熱交換器を取り付ける台枠と、エアフィルター取付枠を設けた空気調和機の室内ユニットであって、前記台枠は、前記空気調和機の室内ユニットを壁に設置する際の爪部と、熱交換器の取付けを容易に行うための凹部とを有し、前記エアフィルター取付枠には、前記凹部を有する台枠を保持する支持リブを形成したものである。
【００１１】
これによって、空気調和機の室内ユニットの凹部の外側に位置する台枠の端部の強度が向上し、空気調和機を壁に設置した後、台枠が変形するのを防止可能となる。
【００１２】
第２の発明は、台枠の凹部を塞ぐための特殊板をさらに備え、前記特殊板には、空気調和機の室内ユニット設置するための据付板に固定する爪部を形成した構成としたもので、これにより台枠端部の強度が向上し、空気調和機を壁に設置した後、台枠が変形するのを防止可能となる。
【００１３】
第３の発明は、台枠の両端に内側向きの爪構造を形成するとともに、据付板の左右上端に前記爪構造と嵌合する形状を形成し、空気調和機の室内ユニット本体の端を変形しない構成としたもので、これにより台枠端部の強度が向上し、空気調和機を壁に設置した後、台枠が変形するのを防止可能となる。
【００１４】
第４の発明は、特に第２または第３の発明において、特殊板を金属製としたもので、これにより台枠端部の強度が向上し、空気調和機を壁に設置した後、台枠が変形するのを防止可能となる。
【００１５】
第５の発明は、特に第１〜第４の発明の台枠の一部あるいは全部を、金属の鋳物製もしくはセラミックス製にしたものである。これによって、台枠の強度が向上し、空気調和機を壁に設置した後、台枠が変形するのを防止可能となる。
【００１６】
以下、本発明の実施の形態について図面を参照しながら説明する。なお、この実施の形態によって本発明が限定されるものではない。
【００１７】
（実施の形態１）
図１は、本発明の第１の実施の形態における空気調和機の室内ユニットの斜視図である。
【００１８】
図１に示すように、台枠１に熱交換器及び送風ファン等（図示せず）を取り付けた後、フィルター取り付け枠４を取り付ける。さらに、前面パネル（図示せず）などを組み付けたのち、室内の壁に取り付けるための据付板５に室内ユニットの台枠１に設けられた爪により引っ掛けて取り付ける。
【００１９】
図２は台枠１の端部の詳細を示している。図２に示すように、台枠１には熱交換器の取り付けを容易にするために、凹部１ａが設けられている。さらに本実施の形態においては、台枠１の当該凹部１ａの外側の台枠端部の位置に、エアフィルター取付枠４と一体に支持構造（支持リブ）４ａが形成されている。これにより、台枠１の凹部１ａの外側の台枠端部が支持構造４ａによって支持されるため、室内ユニットを取り付けた後に自重にて変形することを防止することができる。従って、台枠１と壁との間に隙間が発生することを防ぎ、室内ユニットを壁に設置した時の見栄えが悪くなることがない。
【００２０】
図３は本実施の形態における室内ユニットの台枠１の背面図である。図３に示すように
、台枠１の背面には、据付板５に引っ掛けて固定するための爪部１ｂが形成されている。さらに、図２に示す台枠１の凹部１ａの部分には、熱交換器を取り付けた後にこれを塞ぐための特殊板３をはめる。本実施の形態においては、当該特殊板３の背面にも爪部１ｃを構成しており、これによって、台枠端部を据付板５で保持することが可能となり、空気調和機を壁に設置した後、台枠が変形するのを防止可能となる。
【００２１】
また、熱交換器２と前記熱交換器２の取付けを容易に行う凹部４を設けた台枠１と、前記凹部４を塞ぐための特殊板３とを金属製とした場合には、これらの継ぎ部分の強度がえられるので、台枠端部の強度がさらに向上する
さらに、台枠１の一部あるいは全部を金属の鋳物製にすることで、樹脂製の台枠よりも強度をさらに向上することが可能である。
【００２２】
（実施の形態２）
図４は、第２の実施の形態における空気調和機の室内ユニットの台枠１の背面図である。図４に示すように、台枠１の両端に内側向きの爪部１ｄを形成し、据付板５の左右上端に前記爪部１ｄと嵌合する形状を形成している。これによって、空気調和機の室内ユニット本体の端を保持する構成にとなり、台枠端部の強度が向上し、空気調和機を壁に設置した後、台枠が変形するのを防止可能となる。
【産業上の利用可能性】
【００２３】
以上のように、本発明にかかる空気調和機の室内ユニットは、台枠の端部の強度が向上し、空気調和機を壁に設置した後、台枠が変形するのを防止できるので、壁に設置する装置の用途等に適用できる。
【符号の説明】
【００２４】
１  台枠
１ａ  凹部
１ｂ  爪部
１ｃ  爪部（１ｂ同様形状）
１ｄ  爪部
２  熱交換器
３  特殊板
４  エアフィルター取付枠
４ａ  支持構造（支持リブ）
【図１】
2010249348.tif 000003
【図２】
2010249348.tif 000004
【図３】
2010249348.tif 000005
【図４】
2010249348.tif 000006
【図５】
2010249348.tif 000007
【図６】
2010249348.tif 000008
【図７】
2010249348.tif 000009